(57)【要約】【課題】サーバによる画像処理結果をローカルなモバイル機器上で事前に確認することができる画像処理方法、システムおよび画像処理サーバ並びに端末機器を提供する。【解決手段】携帯電話機１０は、画像処理サーバ１４で行われる画像処理の内容を設定し、設定された画像処理の内容を画像処理サーバ１４とは異なる信号処理の手法を用いて擬似的に表現した画像を生成し、ディスプレイ２４に表示する。画像処理サーバ１４に画像処理を依頼する前に、結果画像を擬似的に表現した画像によって処理結果を確認することができるので、ユーザが意図する結果を得られる場合には画像処理サーバ１４に処理依頼をすればよい。携帯電話機１０で行われる処理は処理系の処理能力に制限がある機器でも実行できる処理であり、画像処理サーバ１４で実行される処理に比べて処理負担が軽い処理である。【選択図】  図１
2004326423.tif 000002
【特許請求の範囲】
【請求項１】
画像処理サーバと、ネットワークを介して前記画像処理サーバと相互にデータ通信可能な端末機器と、を有する画像処理システムにおける画像処理方法であって、
前記端末機器に備えられた撮像手段によって被写体の光学像を電気信号に変換し、所定の信号処理を施して画像データを生成する工程と、
前記画像データについて前記端末機器側から前記画像処理サーバに依頼する画像処理の内容を設定する工程と、
前記端末機器に備えられた端末内信号処理手段によって前記画像データに処理を施し、前記設定に従って前記画像処理サーバが行う画像処理の結果を擬似的に表現した画像を生成する工程と、
前記端末内信号処理手段により生成された疑似処理結果画像を前記端末機器の表示手段に表示する工程と、
前記端末機器から前記画像処理サーバに対して前記画像データ及び該画像データに施す画像処理の内容を示す設定情報を送出する工程と、
前記画像処理サーバに備えられた画像処理手段によって前記設定情報に従って前記画像データに画像処理を施す工程と、
前記画像処理で生成された処理結果画像を前記画像処理サーバから前記端末機器に提供する工程と、
前記画像処理サーバから提供された処理結果画像を前記端末機器が取得する工程と、
を含むことを特徴とする画像処理方法。
【請求項２】
画像処理サーバと、ネットワークを介して前記画像処理サーバと相互にデータ通信可能な端末機器と、を有する画像処理システムであって、
前記端末機器は、被写体の光学像を電気信号に変換し、得られた撮像信号に所定の信号処理を施し画像データを生成する撮像手段と、
前記画像処理サーバ側に依頼する画像処理の内容を設定する画像処理設定手段と、
前記画像処理設定手段の設定に従い前記サーバによって実施される画像処理の結果を擬似的に表現した画像を、前記サーバの画像処理手法と異なる信号処理の手法によって生成する端末内信号処理手段と、
前記端末内信号処理手段によって生成された疑似処理結果画像を表示する表示手段と、
前記撮像手段によって生成された画像データと前記画像処理設定手段によって設定された画像処理の内容を示す設定情報とを前記画像処理サーバに送出する制御を行う送出制御手段と、
前記設定情報に従って前記画像処理サーバで生成された処理結果画像を前記画像処理サーバから取得する画像データ取得手段と、
を備え、
前記画像処理サーバは、前記端末機器から取得した前記設定情報に従って前記画像データに画像処理を施す画像処理手段と、
前記画像処理手段によって生成された処理結果画像を送信元の端末機器へ提供する画像提供手段と、
を備えたことを特徴とする画像処理システム。
【請求項３】
前記ネットワークに接続され、前記画像処理サーバとデータ通信が可能なプリント装置を備え、
前記画像処理サーバは、前記端末機器から送出される画像処理後の結果画像のプリント情報を取得し、前記プリント情報を前記プリント装置に送出するプリント情報処理手段を備え、
前記プリント装置は、該端末機器から前記画像処理サーバへ送出される前記プリント情報と、前記画像処理サーバによって処理された画像データと、を取得するプリント情報取得手段と、
前記プリント情報に従って、前記画像処理サーバによって処理された画像データのプリントを制御するプリント制御手段と、
を備えたことを特徴とする請求項２記載の画像処理システム。
【請求項４】
ネットワークを介して端末機器とデータ通信可能な画像処理サーバであって、
前記端末機器によって生成された画像データおよび前記端末機器によって設定された前記画像データに施す画像処理の内容を示す設定情報を取得する情報取得手段と、
前記設定情報に従って前記画像データに画像処理を施す画像処理手段と、
前記画像処理手段によって処理された画像データを前記画像データの送信元の端末機器に提供する画像提供手段と、
を備えたことを特徴とする画像処理サーバ。
【請求項５】
前記ネットワークを介して画像処理サーバとデータ通信可能な端末機器であって、
被写体の光学像を電気信号に変換し、得られた撮像信号に所定の信号処理を施し画像データを生成する撮像手段と、
前記画像処理サーバ側に依頼する画像処理の内容を設定する画像処理設定手段と、
前記画像処理設定手段の設定に従い前記サーバによって実施される画像処理の結果を擬似的に表現した画像を、前記画像処理サーバの画像処理手法と異なる信号処理の手法によって生成する端末内信号処理手段と、
前記端末内信号処理手段によって生成された疑似処理結果画像を表示する表示手段と、
前記撮像手段によって生成された画像データと前記画像処理設定手段によって設定された画像処理の内容を示す設定情報とを前記画像処理サーバに送出する制御を行う送出制御手段と、
前記設定情報に従って前記画像処理サーバで生成された処理結果画像を前記画像処理サーバから取得する画像データ取得手段と、
を備えたことを特徴とする端末機器。
【請求項６】
前記端末内信号処理手段は、複数のフィルタ処理を併用して擬似的に表現された画像を生成することを特徴とする請求項５記載の端末機器。
【請求項７】
前記端末内信号処理手段は、３次元フィルタ処理とぼかしフィルタ処理とを併用して擬似的に表現された拡大画像を生成することを特徴とする請求項５または６記載の端末機器。
【発明の詳細な説明】
【０００１】
【発明の属する技術分野】
本発明は画像処理方法、システムおよび画像処理サーバ並びに端末機器に係り、特にネットワークを利用した画像加工、画像処理サービスに好適な画像処理技術に関する。
【０００２】
【従来の技術】
カメラ付き携帯電話やカメラ付きＰＤＡなどの撮像機能を備えたモバイル機器が普及し、わざわざカメラを持ち歩かなくても気軽に写真撮影を楽しむことができるようになった。撮影された画像はその場で見て楽しむだけでなく、電子メールに添付して友人等に配信することもできる。また、携帯電話を対象としたＷｅｂコンテンツサービスには、撮影した画像の背景を変化させるような画像処理を施して楽しむものがある。
【０００３】
特許文献１に開示されたデジタルフォトサービスシステムは、ウエブサイトと画像処理技術とを有効活用し、まず、該サービスに登録されているユーザは写真画像をウエブサイト管理サーバにアップロードする。また、ユーザは通信機器を介して専用ウエブページにアクセスし、該ウエブページ内で利用コンテンツを選択すると、選択されたコンテンツによる画像処理がサーバにアップロードした写真画像へ施されるシステムが提案されている。
【０００４】
【特許文献１】
特開２００２−１８９７２３号公報
【０００５】
【発明が解決しようとする課題】
しかしながら、カメラ付き携帯電話やカメラ付きＰＤＡなどのモバイル機器はデジタルカメラなどカメラ機能を主として構成された機器に比べて画像を取り扱う能力などの処理能力に制限があり、パソコンやデジタルカメラのような画像処理を行うことは難しい。また、サーバやパソコンに撮影された画像を取り込んで高度な画像処理を行うことは可能であるが、パソコンなどの画像処理を行う機器にデータを取り込むための工程が必要になり、また、画像処理を施した結果画像をモバイル機器側ではすぐに見ることができないという欠点がある。
【０００６】
また、サーバに画像をアップロードし、サーバ内で画像処理を行うウエブコンテンツでは、ウエブぺージにアクセスして処理結果画像を見なければならない。
【０００７】
本発明はこのような事情を鑑みてなされたもので、サーバによる画像処理結果をローカルなモバイル機器上で事前に確認することができる画像処理方法、システムおよび画像処理サーバ並びに端末機器を提供することを目的とする。
【０００８】
【課題を解決するための手段】
前記目的を達成するために本発明に係る画像処理方法は、画像処理サーバと、ネットワークを介して前記画像処理サーバと相互にデータ通信可能な端末機器と、を有する画像処理システムにおける画像処理方法であって、前記端末機器に備えられた撮像手段によって被写体の光学像を電気信号に変換し、所定の信号処理を施して画像データを生成する工程と、前記画像データについて前記端末機器側から前記画像処理サーバに依頼する画像処理の内容を設定する工程と、前記端末機器に備えられた端末内信号処理手段によって前記画像データに処理を施し、前記設定に従って前記画像処理サーバが行う画像処理の結果を擬似的に表現した画像を生成する工程と、前記端末内信号処理手段により生成された疑似処理結果画像を前記端末機器の表示手段に表示する工程と、前記端末機器から前記画像処理サーバに対して前記画像データ及び該画像データに施す画像処理の内容を示す設定情報を送出する工程と、前記画像処理サーバに備えられた画像処理手段によって前記設定情報に従って前記画像データに画像処理を施す工程と、前記画像処理で生成された処理結果画像を前記画像処理サーバから前記端末機器に提供する工程と、前記画像処理サーバから提供された処理結果画像を前記端末機器が取得する工程と、を含むことを特徴としている。
【０００９】
本発明によれば、端末機器に備えられた撮像手段によって撮像され生成された画像データを画像処理サーバに送出し、画像処理サーバにてユーザが所望する画像処理が行われ、画像処理の結果画像を該端末機器に提供する画像処理システムにおいて、該端末機器では、画像処理サーバで行われる画像処理の内容を設定し、設定された画像処理の内容を端末内信号処理手段によって擬似的に表現した画像を生成することができ、画像処理を施す画像を画像処理サーバに送出する前にユーザは端末機器で擬似的に表現された結果画像を確認できる。ユーザは画像処理サーバに画像処理を依頼する前に意図する画像を得られるか否かを確認することができる。
【００１０】
ネットワークには、インターネット、ＬＡＮ等を含んだ、複数の機器間で情報通信が行えるように接続することを示している。ネットワークの通信形態には有線、無線および赤外線などがあり、通信プロトコルにはＴＣＰ／ＩＰやＵＤＰ／ＩＰなどがある。なお、他のネットワーク形態や他の通信プロトコルを適用してもよい。
【００１１】
画像処理サーバは単一のコンピュータで構成されていてもよいし、複数のコンピュータで構成されていてもよい。また、ネットワークサーバやウエブサイト管理サーバなどの一部として構成されていてもよい。
【００１２】
画像処理サーバで行う画像処理は複数の処理内容が準備されており、端末機器では、複数の処理内容から少なくとも１つの処理内容を設定することができる。画像処理サーバには画像処理が複数備えられているが、少なくとも１つの処理を提供できればよい。
【００１３】
画像処理サーバは処理能力の高い処理系を備えているので、加工品質の高い画像を得る処理を実行することができる。携帯電話などの機器は処理能力に制限があり、処理負担が重い処理には不向きである。
【００１４】
携帯電話など処理系の能力が限定されている機器に搭載可能な処理を用いて、画像処理サーバによる画像処理の結果画像と印象が似ている画像を得ることができる。加工品質の高い画像を擬似的な画像を得ることができる処理は、サーバによる画像処理に比べて処理系の負担が軽い処理である。
【００１５】
画像処理後の画像データを送信元の端末機器に返送する態様は、画像処理後の画像データを電子メールに添付して返信する態様や、電子メールにてダウンロードサイトを報知し、電子メールを受け取ったユーザは、端末機器を用いて該ダウンロードサイトにアクセスし、該ダウンロードサイトから所望の画像データを取得する態様などがある。該ダウンロードサイトでは、ユーザが画像処理の結果を確認でき、該画像データをダウンロードするか、あるいはダウンロードしないかの何れかを選択できるように構成するとよい。
【００１６】
端末機器には、カメラ付き携帯電話、カメラ付きＰＤＡ、カメラ付きノートパソコンなど、撮影機能を備えたモバイル機器が含まれている。
【００１７】
表示装置には液晶モニタが用いられるが、液晶モニタだけでなく、有機ＥＬなどの他の表示装置を用いてもよい。また、予め、表示装置の機種、型式などの表示装置情報を画像処理サーバに与えておき、表示装置の表示能力に応じて画像のたて横比や解像度を変更するように構成するとよい。
【００１８】
前記方法発明を具現化するために本発明に係る画像処理システムは、画像処理サーバと、ネットワークを介して前記画像処理サーバと相互にデータ通信可能な端末機器と、を有する画像処理システムであって、前記端末機器は、被写体の光学像を電気信号に変換し、得られた撮像信号に所定の信号処理を施し画像データを生成する撮像手段と、前記画像処理サーバ側に依頼する画像処理の内容を設定する画像処理設定手段と、前記画像処理設定手段の設定に従い前記サーバによって実施される画像処理の結果を擬似的に表現した画像を、前記サーバの画像処理手法と異なる信号処理の手法によって生成する端末内信号処理手段と、前記端末内信号処理手段によって生成された疑似処理結果画像を表示する表示手段と、前記撮像手段によって生成された画像データと前記画像処理設定手段によって設定された画像処理の内容を示す設定情報とを前記画像処理サーバに送出する制御を行う送出制御手段と、前記設定情報に従って前記画像処理サーバで生成された処理結果画像を前記画像処理サーバから取得する画像データ取得手段と、を備え、前記画像処理サーバは、前記端末機器から取得した前記設定情報に従って前記画像データに画像処理を施す画像処理手段と、前記画像処理手段によって生成された処理結果画像を送信元の端末機器へ提供する画像提供手段と、を備えたことを特徴としている。
【００１９】
端末機器は画像処理サーバが行う画像処理の結果画像と類似した画像を得ることができる疑似処理結果画像生成手段を含む端末内信号処理手段を備えており、これは処理能力が制限された機器において有効である。
【００２０】
本発明の一態様によれば、前記ネットワークに接続され、前記画像処理サーバとデータ通信が可能なプリント装置を備え、前記画像処理サーバは、前記端末機器から送出される画像処理後の結果画像のプリント情報を取得し、前記プリント情報を前記プリント装置に送出するプリント情報処理手段を備え、前記プリント装置は、該端末機器から前記画像処理サーバへ送出される前記プリント情報と、前記画像処理サーバによって処理された画像データと、を取得するプリント情報取得手段と、前記プリント情報に従って、前記画像処理サーバによって処理された画像データのプリントを制御するプリント制御手段と、を備えたことを特徴としている。
【００２１】
かかる態様によれば、本画像処理システムにネットワーク接続されたプリント装置を備えると、端末機器から画像処理サーバに送出されたプリント情報と、該画像処理サーバによって処理された画像処理後の画像データと、を該画像処理サーバからネットワークを介して該プリント装置に送出し、該プリント装置は該プリント情報に従って該画像処理サーバによって処理された画像処理後の画像データのプリントを行う。したがって、該画像処理サーバによって画像処理を施された画像データをネットワーク接続されたプリント装置を利用してプリントすることが可能になる。
【００２２】
プリント装置は、コンピュータを介してネットワークに接続されてもよいし、直接ネットワークに接続されてもよい。プリント装置には、プリントステーションに設置されているラボ機やセルフ式プリント装置を含んでいる。
【００２３】
プリント情報には、プリントする画像を指定する情報とプリント数量が含まれており、その他に、プリントサイズ、画質などの情報が含まれていてもよい。
【００２４】
前記目的を達成するために本発明に係るサーバは、ネットワークを介して端末機器とデータ通信可能な画像処理サーバであって、前記端末機器によって生成された画像データおよび前記端末機器によって設定された前記画像データに施す画像処理の内容を示す設定情報を取得する情報取得手段と、前記設定情報に従って前記画像データに画像処理を施す画像処理手段と、前記画像処理手段によって処理された画像データを前記画像データの送信元の端末機器に提供する画像提供手段と、を備えたことを特徴としている。
【００２５】
本発明によれば、画像処理サーバは、該端末機器において内容を設定された画像処理を端末機器から送出される画像に施し、処理後の画像データを該画像データの送信元の端末機器に提供することができる。
【００２６】
画像処理後の画像データを提供する態様は、画像処理サーバから該画像データの送信元端末機器に画像処理後の画像データを添付した電子メールを送信する態様がある。
【００２７】
また、前記目的を達成するために本発明に係る端末機器は、前記ネットワークを介して画像処理サーバとデータ通信可能な端末機器であって、被写体の光学像を電気信号に変換し、得られた撮像信号に所定の信号処理を施し画像データを生成する撮像手段と、前記画像処理サーバ側に依頼する画像処理の内容を設定する画像処理設定手段と、前記画像処理設定手段の設定に従い前記サーバによって実施される画像処理の結果を擬似的に表現した画像を、前記画像処理サーバの画像処理手法と異なる信号処理の手法によって生成する端末内信号処理手段と、前記端末内信号処理手段によって生成された疑似処理結果画像を表示する表示手段と、前記撮像手段によって生成された画像データと前記画像処理設定手段によって設定された画像処理の内容を示す設定情報とを前記画像処理サーバに送出する制御を行う送出制御手段と、前記設定情報に従って前記画像処理サーバで生成された処理結果画像を前記画像処理サーバから取得する画像データ取得手段と、を備えたことを特徴としている。
【００２８】
本発明によれば、端末機器では画像処理などを行う処理系の能力に制限があり、画像処理サーバで行われるような画像処理を行うことは難しい。したがって前記画像処理設定手段によって設定された画像処理の内容を前記端末内信号処理手段によって擬似的に表現した画像を生成するように構成し、画像処理サーバに画像処理を依頼する前に画像処理の結果画像を確認でき、ユーザは結果画像を確認してから画像処理サーバに画像処理を依頼できる。
【００２９】
本発明の一態様によれば、前記端末内信号処理手段は、複数のフィルタ処理を併用して擬似的に表現された画像を生成することを特徴としている。
【００３０】
複数のフィルタ処理を併用すると、それぞれのフィルタ処理とは異なる処理を実現できる。
【００３１】
本発明の他の態様によれば、前記端末内信号処理手段は、３次元フィルタ処理とぼかしフィルタ処理とを併用して擬似的に表現された拡大画像を生成することを特徴としている。
【００３２】
拡大処理とは、画像の中央部が強調され、端部がぼやけたような画像になる画像処理であり、接写撮影した写真や望遠撮影した画像などをイメージさせることができる。もちろん、これらの疑似接写画像、疑似望遠画像の他にも疑似画像を生成できる処理を備えてもよい。
【００３３】
【発明の実施の形態】
以下、添付図面に従って本発明の好ましい実施の形態について説明する。
【００３４】
図１は、本発明の実施形態に係る画像処理システムの構成図である。
【００３５】
本画像処理システムは、カメラ付き携帯電話機（以下携帯電話機と記載）１０を用いて撮影した画像を、ネットワーク１２を介して画像処理サーバ１４に送出し、画像処理サーバ１４においてユーザが所望する画像処理を施し、処理後の画像データを携帯電話機１０に提供するサービスを行う。
【００３６】
携帯電話機１０では、ユーザは所望する画像処理の内容を選択し、選択された画像処理内容の結果画像を擬似的に表現することができる。これは携帯電話機１０に搭載されたアプリケーションプログラムによって行われる。
【００３７】
また、本画像処理システムでは、ユーザが画像処理後の画像のプリントを所望する場合には、ネットワーク１２に接続されたセルフ式プリント装置１６によって、画像処理後の画像をプリントするサービスが提供される。
【００３８】
また、図１には図示しないが、複数の電子機器がそれぞれに備えた通信端末を介してネットワーク１２に接続されている。前記電子機器にはノートＰＣ、ＰＤＡなどのモバイル機器の他にサーバやディスクトップＰＣなどが含まれる。
【００３９】
画像処理サーバ１４は、携帯電話機１０や他の電子機器から送出される画像データにユーザが所望する画像処理を施す画像処理部１８および画像処理後の画像データを記録するデータ記録部２０を有している。
【００４０】
また、ネットワーク１２に接続されるＷｅｂサーバ２１は、Ｗｅｂ上で行われる情報配信や各種サービス（コンテンツ）の提供を管理し、また、電子メールサーバとしても機能する。
【００４１】
携帯電話機１０には、カメラ部（不図示）、アンテナ２２、ディスプレイ２４、受話口２６、送話口２８および操作部３０が設けられている。操作部３０には、図１には図示しない、ダイヤルボタン、通話ボタン、通話切兼用電源ボタン、十字ボタン、実行ボタンその他の各種の操作手段が含まれる。操作部３０は、プッシュ式のスイッチ部材に限定されず、ダイヤル部材、レバースイッチなどの構成も可能であり、また、ディスプレイ２４に表示されるメニュー画面から所望の項目を選択するようなユーザインターフェースもあり得る。
【００４２】
カメラ部は、携帯電話機１０の筐体に対して回動自在に取り付けられている。カメラ部を回すことで撮影方向を自由に変更することができ、ディスプレイ２４の背面側にカメラを向けたり、ディスプレイ２４の表示面側にカメラを向けたりすることができる。なお、回転機能付きのカメラ部に代えて、所定の位置に固設されたカメラ部を搭載する態様も可能であり、また、複数のカメラ部を搭載する態様も可能である。
【００４３】
また、携帯電話機１０は、携帯電話機用の各種アプリケーションソフトウエアを実行可能な携帯電話機（例えば、株式会社ＮＴＴ  ＤｏＣｏＭｏが提供する  ｉアプリ（商品名）に対応した機種）であり、通常の電話機能および電子メール機能の他に、静止画や動画の撮影機能を備えている。
【００４４】
図２は、携帯電話機１０の構成を示すブロック図である。
【００４５】
携帯電話機１０は、中央演算処理装置（ＣＰＵ）３１とメモリ３２を備えるとともに、音声処理部３４、送受信回路３６、受話口２６のスピーカ３７、送話口２８のマイク３８といった通常の電話機能を実現するために必要な構成要素を備えている。
【００４６】
ＣＰＵ３１は、所定のプログラムに従って携帯電話機１０全体の動作を制御する制御部として機能するとともに、各種演算を行う演算装置として機能する。すなわち、ＣＰＵ３１は、操作部３０から入力される指令信号に基づいて携帯電話機１０内の各回路を制御し、通信制御、撮影動作制御、画像処理制御、ディスプレイ２４の表示制御、メモリ３２の読み書き制御および容量管理（空き容量の検出を含む）などを行う。
【００４７】
ＣＰＵ３１はバス３９を介してメモリ３２と接続されている。メモリ３２は、ＣＰＵ３１が実行するプログラムおよび制御に必要な各種データなどが格納される不揮発性メモリ（ＲＯＭ）領域と、プログラムの展開領域およびＣＰＵ３１の演算作業用領域として利用される揮発性メモリ（ＲＡＭ）領域とを含むブロックである。ＲＯＭ領域は、電話帳や通話履歴のデータ記憶領域として利用されるとともに、音声や画像の保存領域として利用される。また、ＲＡＭ領域は、画像データの一時記憶領域としても利用される。
【００４８】
音声処理部３４は、ＣＰＵ３１と連携して音声信号を処理又は変換する手段であり、送受信回路３６から受入したデータの復号化処理および送受信回路３６を通じて送信するデータの符号化処理を行うとともに、スピーカ３７への出力信号生成処理、マイク２８からの入力音声信号の符号化処理などを行う。
【００４９】
通話モード（電話機能を使用するモード）において、通信相手との通信接続が確立されると、マイク２８から入力される音声は電気信号に変換され、音声処理部３４に送られる。音声処理部３４はマイク３８から入力された音声信号をデジタル信号に変換（Ａ／Ｄ変換）した後、所要の信号処理を行い、所定形式の音声データに変換する。音声処理部３４で処理された音声データ（送信用のデータ）は、バス３９を介して送受信回路３６に送られ、所定の送信用信号形式に変換された後、アンテナ２２から送信される。
【００５０】
また、アンテナ２２によって受波された信号は、送受信回路３６において復調され、音声処理部３４に送られる。音声処理部３４は、送受信回路３６から受入した音声信号を所定形式の音声データに変換する。音声処理部３４で生成された音声データ（受信データ）は、アナログ音声信号に変換（Ｄ／Ａ変換）された後、スピーカ３７に送られる。こうして、通話相手の音声がスピーカ３７から可聴出力される。もちろん、携帯電話機１０は、音声データのみならず、電子メール機能やインターネットのブラウザ機能などを利用して画像データ、文書データ、プログラムデータなど種々のデータを送受信することが可能である。
【００５１】
更に、携帯電話機１０は、撮影レンズ４０とＣＣＤイメージセンサ（以下、ＣＣＤという。）４２を有し、ＣＣＤ４２から得られる画像信号を処理するためのアナログ処理部４４、Ａ／Ｄ変換器４５、信号処理部４６、圧縮伸張部４７を備えている。なお、本例では撮像素子としてＣＣＤを用いるが、ＣＣＤ型に限らず、ＣＭＯＳ型など他の方式によるデバイスを用いてもよい。
【００５２】
撮影レンズ４０を通過した光はＣＣＤ４２の受光面の上に焦点を結ぶ。ＣＣＤ４２の受光面には多数のフォトセンサ（受光素子）が平面的に配列され、各フォトセンサに対応して赤（Ｒ）、緑（Ｇ）、青（Ｂ）の原色カラーフィルタが所定の配列構造で配置されている。ＲＧＢカラーフィルタに代えて、ＣＭＹ等のカラーフィルタを用いることもできる。
【００５３】
ＣＣＤ４２の受光面に結像された被写体像は、各フォトセンサによって入射光量に応じた量の信号電荷に変換される。ＣＣＤ４２は、シャッタゲートパルスのタイミングによって各フォトセンサの電荷蓄積時間（シャッタスピード）を制御する電子シャッタ機能を有している。
【００５４】
ＣＣＤ４２の各フォトセンサに蓄積された信号電荷は、ＣＰＵ３１の指令に従いタイミングジェネレータ（ＴＧ）４８から与えられるパルス（水平駆動パルスφＨ，垂直駆動パルスφＶ，オーバーフロードレインパルス）に基づいて信号電荷に応じた電圧信号（画像信号）として順次読み出される。ＣＣＤ４２から出力された画像信号は、アナログ処理部４４に送られ、相関二重サンプリング（ＣＤＳ）処理やゲイン調整などの所要の処理が施された後、Ａ／Ｄ変換器４５によってデジタル信号に変換される。デジタル化された画像データは信号処理部４６に送られる。
【００５５】
信号処理部４６は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含むデジタル画像信号処理手段であり、ＣＰＵ３１からのコマンドに従ってメモリ３２を活用しながら画像信号を処理する。
【００５６】
信号処理部４６において、ホワイトバランス調整処理、ガンマ変換処理、輝度信号（Ｙ信号）および色差信号（Ｃｒ，Ｃｂ  信号）への変換処理（ＹＣ処理）など、所定の処理が施されて生成された画像データはメモリ３２に一時的に記憶される。ここで、撮影中の映像をディスプレイ２４に表示させる場合には、このメモリ３２の内容を読み出して表示回路５０に送り、表示回路５０において表示用の信号形式に変換した後、ディスプレイ２４に供給する。これにより、ディスプレイ２４にはＣＣＤ４２が捉えているリアルタイム映像（スルー画）が表示され、撮影者はディスプレイ２４に映し出される映像によって撮影画角（構図）を確認できる。
【００５７】
操作部３０の撮影ボタン（例えば、実行ボタンで兼用）が押されると、ＣＰＵ３１はこれを検知して、記録用の撮影動作を実行する。取り込まれた記録用の画像データは、信号処理部４６において輝度・色差信号変換処理（ＹＣ処理）その他の所定の信号処理を経た後、圧縮伸張部４７に送られ、ここで所定の圧縮フォーマット（例えば、ＪＰＥＧ形式）  に従って圧縮される。圧縮された画像データは、メモリ３２の画像保存領域に格納される。
【００５８】
携帯電話機１０にメモリカードインターフェイスを備え、該画像データをメモリカードに記録するように構成してもよい。
【００５９】
動画撮影モードが選択されている場合には、撮影ボタンの押下によって録画動作がスタートし、その後もう一度撮影ボタンを押下すると動画記録動作が停止する。なお、撮影ボタンの押下継続中に録画動作を行い、押下解除により録画を停止するようにしてもよい。
【００６０】
動画撮影時の音声は、マイク５２によって検出され、その検出信号（音声信号）は、音声処理部３４において所定の信号形式に変換される。この音声データは、画像データとともに圧縮伸張部４７において所定の圧縮フォーマット（例えば、ＭＰ４形式）に従って、圧縮処理された後メモリ３２に記録される。動画再生時には、音声データはメモリ３２から読み出され、圧縮伸張部４７によって伸張処理されスピーカ５４から出力される。
【００６１】
本例の携帯電話機１０には、上述した標準装備の機能に加えて、画像閲覧の機能を高めるためのアプリケーションプログラム（以下、閲覧アプリケーションと記載）が搭載されている。
【００６２】
閲覧アプリケーションはネットワーク上の所定のサービスサイトからダウンロードすることができる。閲覧プログラムのダウンロードサービスを提供するサーバは、携帯電話機ごとにディスプレイ画面の大きさや縦横比に合致した表示を実現するプログラムを提供する。
【００６３】
なお、メモリカードなどの記録媒体やデータ通信を利用して閲覧アプリケーションを携帯電話機に導入する態様も可能である。なお、該閲覧アプリケーションの詳細は後述する。
【００６４】
図３は、画像処理サーバ１４の構成を示すブロック図である。
【００６５】
画像処理サーバ１４は制御部６０によって統括制御されている。画像処理サーバ１４は、カメラ付き携帯電話などで撮影された画像を、通信部６２を介して取得し、画像処理部１８において、通信部６２を介して取得した画像に「セピア処理」、「美白処理」、「接写処理」、「望遠処理」などのカメラ付き携帯電話では実現できない加工品質が高い画像処理を施すことができる。また、画像処理を施した画像を、データ記録部２０に記録することや、通信部６２を介して外部に送出することができる。
【００６６】
画像処理部１８において画像処理を行うプログラムはプログラム記録部６４に格納されており、制御部６０によって適宜読み出され実行される。また、画像処理サーバ１４はメモリ６６を備え、メモリ６６はプログラム実行時の作業領域や画像データの一時記憶領域として機能する。また、プログラム記録部６４には、画像処理を実行するプログラムだけでなく、他の機能を実現するプログラムを格納することができる。
【００６７】
画像処理サーバ１４は、Ｗｅｂサーバ２１（図１に図示）がネットワーク１２を介して提供する画像処理サービスのコンテンツサーバとして機能し、コンテンツに関係する処理は、画像処理サーバ１４内ではコンテンツ管理部７２によって管理されている。
【００６８】
図４は、上述した画像処理システムの制御の流れを示したフローチャートである。
【００６９】
携帯電話機１０によって撮影が行われ、画像データが生成される。（ステップＳ１０）また、携帯電話機１０では所望する画像処理の内容を設定する。画像処理依頼前に設定された画像処理の結果画像を確認する場合には、携帯電話機１０に搭載された閲覧アプリケーションを用いて擬似的に画像処理の結果画像を生成され、これを見て結果画像を確認できる（ステップＳ１２）。ユーザが設定された画像処理を画像処理サーバ１４に依頼する場合には、該画像データと設定された画像処理の内容とはネットワーク１２を経由して画像処理サーバ１４に送られる（ステップＳ１４）。該画像データを画像処理サーバ１４に送出する態様は、ブラウザ上で画像処理サービスページにアクセスし、ブラウザ上で該画像データを送出する態様や、画像処理サーバ１４が指定した電子メールアドレスに該画像データを添付ファイルとして添付して送出する態様などがある。
【００７０】
画像処理サーバ１４が提供する画像処理には「セピア処理」、「美白処理」、「接写処理」、「望遠処理」などがあり、ユーザはこれらの画像処理の中から所望の画像処理を設定することができる。ユーザが画像処理を設定する態様には、ブラウザ上でメニューの中から所望の画像処理を選択する態様がある。
【００７１】
画像処理サーバ１４では、通信部６２を介して該画像データを取得されると、画像処理部１８において設定された画像処理の内容に従って処理が施される（ステップＳ１６）。なお、１つの画像に複数の画像処理を施すことができるよう構成してもよい。
【００７２】
画像処理を施された画像データはデータ記録部２０に記録され（ステップＳ１８）、また、送信元の携帯電話機１０へ返送される（ステップＳ２０）。送信元の携帯電話機１０へ処理済み画像データを送信する態様は、電子メールに添付して送信する態様や、ブラウザ上で画像処理済み画像ダウンロードページにアクセスして、画像処理済み画像をダウンロードする態様や、画像閲覧ページにアクセスして画像処理済み画像をブラウザ上で見る態様などがある。
【００７３】
ユーザが、画像処理済み画像のプリントを所望する場合には、画像処理サーバ１４に備えられたプリント制御部６８においてプリント情報が解釈され（ステップＳ２２）、該プリント情報に従って画像処理済み画像のプリントが実行される（ステップＳ２４）。また、プリント処理の記録（プリントジョブ）は画像処理サーバ１４のプリント情報記録部７０に記録される。
【００７４】
図５乃至図１１を用いて、Ｗｅｂコンテンツとして提供される画像処理サービスについて説明する。
【００７５】
図５乃至図８は、画像処理サーバ１４がＷｅｂサーバ２１を介してＷｅｂ上に提供する画像処理コンテンツサービスの流れを示したフローチャートである。なお、Ｗｅｂサーバ２１によって行われるＷｅｂ上の処理は省略する。
【００７６】
携帯電話機１０には、既に携帯電話機１０のカメラ機能を用いて撮影された画像データが生成されている。携帯電話機１０に備えられたブラウザ機能を起動し（ステップＳ１０４）、画像処理サーバ１４が提供する画像処理サービスページにアクセスすると（ステップＳ１０６）、画像処理サーバ１４は、該画像処理サービスのフロントページを表示させる（ステップＳ１０８）。携帯電話機１０では、フロントページが表示され、該フロントページの画像処理サービスのリンクを選択すると、画像処理メニューページが表示され、該画像データに施す画像処理を選択することができる。
【００７７】
また、フロントページでは、画像処理の結果画像を疑似的に表現し、携帯電話機１０のディスプレイ２４に表示させる閲覧アプリケーションをダウンロードすることができる。
【００７８】
フロントページでは該画像処理サービスで必要となるプログラム（プラグイン、アプリケーション等）をダウンロードできるように、各プログラムのダウンロードサイトのリンクを備える構成とすることが好ましい。
【００７９】
有料サービスでは、画像処理メニューページを表示する前にログオン画面を表示し、ユーザ名とパスワードによるユーザ認証を行うように構成される。また、該ログオン画面において、携帯電話機１０を使用するユーザが該画像処理サービスの登録ユーザであるか確認し、登録ユーザでない場合にはユーザ登録メニューを表示して、ユーザ登録を促すように構成するとよい。
【００８０】
図９は、携帯電話機１０のディスプレイ２４に表示された画像処理選択メニュー１００を示している。この画像処理メニューから、「セピア処理」、「美白処理」、「接写処理」、「望遠処理」の何れか１つを選択することができる。
【００８１】
画像処理選択メニュー１００上で所望の画像処理にカーソルを合わせて選択を決定する。図９では「接写」を選択した画面１０２を示している。
【００８２】
セピア処理は画像全体に茶色味かかった処理が施され、撮影されてから長時間経過した写真のような画像を得る処理である。また、美白処理は人物の顔のなかで白を強調させ、人物の顔を美しく見せる処理を行う。接写処理は被写体を接写撮影したように見せる処理を行い、接写処理では花や虫などが被写体として選ばれることが多い。望遠処理は被写体を望遠撮影したように見せる処理を行い、望遠処理では風景や人物、建築物などが被写体として選ばれることが多い。
【００８３】
本実施形態では、「セピア処理」、「美白処理」、「接写処理」、「望遠処理」を画像処理として例示したが、画像処理の態様はこれらに限定されず、他の画像処理を適用してもよい。
【００８４】
画像処理選択画面では、画像処理の内容がユーザに分かるように、各処理にカーソルを合わせるとサンプル画像を表示するなど、画像処理内容を説明するように構成してもよい。
【００８５】
携帯電話機１０を使用するユーザによって画像処理選択メニュー１００から所望の画像処理内容が選択されると（図５のステップＳ１１０）選択された画像処理内容の結果を確認するか否かが選択される（ステップＳ１１１）。
【００８６】
結果を確認しない場合には（ＮＯ判定）、ステップＳ１１５に進み、選択された画像処理を画像処理サーバ１４に依頼するか否かが選択され、依頼しない（ＮＯ判定）が選択されると、ステップＳ１３０に進み、ブラウザを終了するか否かが選択される。ステップＳ１３０においてブラウザを終了しないが選択されると（ＮＯ判定）、ステップＳ１０６に戻り、ブラウザ終了を選択すると（ＹＥＳ判定）、ブラウザは終了され（ステップＳ１３２）、開始に戻る（ステップＳ１３４）。
【００８７】
一方、ステップＳ１１５において選択された画像処理内容をサーバに送出するが選択されると、画像処理サーバ１４では決定された画像処理のプログラムが起動される（ステップＳ１１６）。
【００８８】
次に、画像処理サーバ１４は画像指定ページを表示させ（ステップＳ１１７）、携帯電話機１０のディスプレイ２４には該画像指定ページが表示される。携帯電話機１０を使用するユーザは画像処理を所望する画像を指定し、該画像データを画像処理サーバ１４にアップロードする（ステップＳ１１８）。
【００８９】
画像を指定する画面は、携帯電話機１０の撮影機能を用いて撮影された画像データが保管される記憶領域（図１のメモリ３２等）を参照し、この記憶領域にある画像形式のデータが表示され、表示された画像形式のデータから所望の画像を選択できる。画像を指定する画面はメモリカードなど他のデータ記録領域にある画像データを選択できるように構成するとよい。
【００９０】
画像処理サーバ１４では、携帯電話機１０からアップロードされた画像処理の対象画像を取得すると、既に起動されている画像処理プログラムに従って画像の処理が行われる（ステップＳ１２０）。
【００９１】
ステップＳ１２０において画像処理が終了すると、画像処理済み画像を出力する処理を実行する（ステップＳ１２２）。ステップＳ１２２では、携帯電話機１０のユーザは所望する画像出力形態を選択し（ステップＳ１２６）、これに合わせて、画像処理サーバ１４は画像処理済み画像を出力する。
【００９２】
画像処理サーバ１４では、ステップＳ１２４おいて画像出力処理が終了すると、開始に戻る（ステップＳ１２８）。
【００９３】
携帯電話機１０は、ステップＳ１２６において画像出力選択が終了すると、ステップＳ１３０に進む。また、ステップＳ１１１において結果を確認する場合には（ＹＥＳ判定）、携帯電話機１０に搭載されている閲覧アプリケーションが起動され（ステップＳ１１２）、選択された画像処理内容を擬似的に表現した結果画像がディスプレイ２４に表示される（ステップＳ１１３）。結果画像がディスプレイ２４に表示されると、該閲覧アプリケーションは終了され（ステップＳ１１４）、ステップＳ１１５に進む。
【００９４】
図６乃至図８は、図５に示した画像出力（ステップＳ１２２）の制御を示すフローチャートである。画像処理サーバ１４では、まず、出力選択メニューを表示し（図６のステップＳ２０４）、携帯電話機１０のディスプレイ２４には、図１０に示した、出力選択メニュー画面１０４が表示される。ユーザは「画像形式で保存」、「メール送信」、「プリント」の中から所望の画像出力を選択することができる（ステップＳ２０６）。
【００９５】
ユーザが「プリント」を選択すると、携帯電話機１０のディスプレイ２４には、図１０に示したプリント先選択画面１０６が表示され、ユーザは所望のプリント先を指定することができる（ステップＳ２０８）。
【００９６】
図１０では「プリント店Ａ」、「プリント店Ｂ」、「プリント店Ｃ」および「その他」を指定することができ、カーソルを所望のプリント先に移動させてプリント先を指定することができる。
【００９７】
「その他」を指定すると、他のプリント店が表示され、その中からプリント先を指定することができる。図１０では、プリント先としてプリント店を指定する態様を例示したが、プリント先にはセルフ式プリントマシンなどを適用してもよい。所望のプリント先が選択肢にない場合には、文字入力によってプリント店を指定できるように構成してもよい。
【００９８】
プリント先を指定すると、携帯電話機１０のディスプレイ２４にはプリント条件設定画面が表示される（ステップＳ２１０）。プリント条件設定画面では、プリント枚数、プリントサイズ、プリント画質などのプリント条件が設定され、該プリント条件は、画像処理サーバ１４に送出される。
【００９９】
画像処理サーバ１４では、携帯電話機１０から「プリント」が選択されたか否かを判断する（ステップＳ２１２）。「プリント」が選択されている場合には（ＹＥＳ判定）、画像処理済み画像データを圧縮し（ステップＳ２１４）、画像データおよびプリント条件を携帯電話機１０から指定されたプリント先へ送出する（ステップＳ２１６）。
【０１００】
また、該プリント先へ送出した画像データやプリント条件、依頼先などの情報をプリントジョブとして画像処理サーバ１４内に記録し（ステップＳ２１８）、同時に、該プリントジョブを携帯電話機１０に送出する（ステップＳ２２０）。該プリントジョブを携帯電話機１０に送出すると、画像処理サーバ１４の制御は、画像出力処理を終了し（ステップＳ２２４）、図５のステップＳ１２８に進む。
【０１０１】
携帯電話機１０では、画像処理サーバ１４から送出されたプリントジョブを取得し、記録することができる（ステップＳ２２２）。プリントジョブが記録されると、図５のステップＳ１３０に進む。
【０１０２】
図１０に示したプリント先選択画面１０６で選択したラボ店やセルフ式プリント装置では、画像処理済み画像は該プリント情報に従って高画質プリントされ、ユーザに提供される。
【０１０３】
プリントの課金システムは、ラボ店で代金と引き換えに画像プリントを受け取る態様やブラウザ上で電子決済を行う態様などがある。電子決済には、指定口座から代金を引き落とす態様やクレジットカードによって決済する態様を含んでいる。
【０１０４】
また、セルフ式プリント装置では、注文番号やユーザＩＤを入力すると代金が表示され、表示された代金をセルフ式プリント装置に投入すると、画像プリントを受け取る態様が考えられる。もちろん、電子決済を行い、画像プリントをセルフ式プリント装置で受け取る態様も可能である。
【０１０５】
さらに、ユーザが宅配便などによる画像プリント配達を希望し、ラボ店からユーザへ画像プリントを配達する態様も可能である。
【０１０６】
携帯電話機１０では、ステップＳ２０６において「プリント」を選択しない場合には（ＮＯ判定）、図７のステップＳ２２６に進む。
【０１０７】
また、画像処理サーバ１４では、ステップＳ２１２において「プリント」が選択されていない場合には（ＮＯ判定）、図７のステップＳ２２８に進む。
【０１０８】
携帯電話機１０では、ステップＳ２２８において、図１０に示した出力選択画面上で、「画像形式で保存」が選択されると（ＹＥＳ判定）、該出力情報を画像処理サーバ１４に送出される。
【０１０９】
画像処理サーバ１４では、該出力情報が「画像形式で保存」であるか否かを確認し（ステップＳ２２８）、「画像形式で保存」であれば（ＹＥＳ判定）、ブラウザ上に画像形式を選択するメニューを表示させ（ステップＳ２３０）、携帯電話機１０のディスプレイ２４には画像形式を設定するメニューが表示される。
【０１１０】
ユーザがブラウザ上で、該画像形式選択メニューから所望の画像形式を設定すると（ステップＳ２３２）、画像処理サーバ１４は、画像処理済みの画像データを設定された画像形式に圧縮し（ステップＳ２３４）、携帯電話機１０に該画像データを送信し（ステップＳ２３６）、画像出力処理を終了し（ステップＳ２３８）、図５のステップＳ１２８に進む。
【０１１１】
携帯電話機１０では、該画像データを取得すると、該画像データをデータ記録領域に記録し（ステップＳ２４０）、該画像データをディスプレイ２４に表示するか否かを選択でき（ステップＳ２４２）、該画像データをディスプレイ２４に表示しない場合には（ＮＯ判定）、図５のステップＳ１３０に進み、該画像データを表示する場合には、図２に示した圧縮伸張部４７において伸張処理され、表示回路５０を介してディスプレイ２４に該画像が表示される（図７のステップＳ２４４）。
【０１１２】
一方、ステップＳ２２６において「画像形式で保存」が選択されていない場合には、図８のステップＳ２５０に進む。
【０１１３】
また、画像処理サーバ１４では、ステップＳ２２８において画像形式で保存するが選択されていない場合には（ＮＯ判定）、図８のステップＳ２５２に進む。
【０１１４】
携帯電話機１０では、図８のステップＳ２５０において、図１０に示した出力選択画面上で、「メール配信」が選択されると（ＹＥＳ判定）、該出力情報が画像処理サーバ１４に送出される。
【０１１５】
画像処理サーバ１４では、該出力情報が「メール配信」であるか否かを確認し（ステップＳ２５２）、「メール配信」であれば（ＹＥＳ判定）、ブラウザ上に配信先電子メールアドレスを設定するメニューを表示させ（ステップＳ２５４）、携帯電話機１０のディスプレイ２４には配信先電子メールアドレスを設定するメニューが表示され、該配信先電子メールアドレス設定メニュー上で配信先の電子メールアドレスを設定する（ステップＳ２５６）。
【０１１６】
予め、配信先を登録しておき、その中から配信先を選択するように構成するとよい。
【０１１７】
ステップＳ２５６において設定された配信先電子メールアドレスは画像処理サーバ１４送られ、画像処理サーバ１４では、画像を電子メールに添付して（ステップＳ２５８）、設定された配信先電子メールアドレスに画像付き電子メールを送信する（ステップＳ２６０）。画像付き電子メールの配信履歴は画像処理サーバ１４に記録され（ステップＳ２６２）、同時に、携帯電話機１０にも送信される（ステップＳ２６４）。画像付き電子メール配信履歴の記録および送信が完了すると、画像出力処理を終了し（ステップＳ２６６）、図５のステップＳ１２８に進む。
【０１１８】
携帯電話機１０では、画像付き電子メール配信履歴を取得すると（ステップＳ２６８）、ディスプレイ２４には画像付き電子メール配信履歴を表示され（ステップＳ２７０）、図５のステップＳ１３０に進む。
【０１１９】
本例の携帯電話機１０には、上述した閲覧アプリケーションが組み込まれている。このプログラムは、上述した画像処理サーバ１４によって行われる様々な画像処理の結果を携帯電話機１０上での閲覧を実現するものである。該プログラムは、該画像処理サービスフロントページからダウンロードする態様を例示したが、Ｗｅｂ上の所定のサービスサイトからダウンロードする態様でもよい。もちろん、メモリカードなどの記録媒体によって配布され、該記録媒体からインストールすることもできる。
【０１２０】
以下、この閲覧アプリケーションについて説明する。
【０１２１】
携帯電話などのモバイル機器には高度な画像処理機能は備えられていないが、該閲覧アプリケーションでは、簡単な画像処理を複数重ねあわせたり、簡単な画像処理とフィルタを併用したりして、擬似的に高度な画像処理を施した画像を表現することができる。
【０１２２】
該閲覧アプリケーションはメモリ３２のプログラム領域に格納され、ＣＰＵ３１の指令に基づいてプログラムが実行される。メモリ３２と信号処理部４６との間でバス３９を介してデータがやり取りされながら画像データに処理が施される。
【０１２３】
図９に示した画像処理選択メニュー１００上で、所望の画像処理を選択し、図５のステップＳ１１８において処理対象画像を指定すると、携帯電話機１０のディスプレイ２４には、図１１に示した画像処理結果表示選択画面１１０が表示される。
【０１２４】
該画像処理結果表示選択画面１１０において、「表示する」を選択すると、該閲覧アプリケーションが起動して擬似的に生成された画像処理済み画像１１２が表示される。
【０１２５】
次に、上述した閲覧アプリケーションによる画像生成について詳述する。図１２では「接写」画像を生成する手順を示している。
【０１２６】
対象画像は花を撮影した画像２００とする。
【０１２７】
画像２００に画像処理２０２を施すと結果画像２０４を得ることができる。画像処理２０２は、その処理によって様々な態様があり、「接写処理」では３次元（３Ｄ）処理２０６とフィルタ２０８が適用される。画像２００に３Ｄ処理を施すと、３Ｄ処理画像２１０が生成される。３Ｄ処理２０６は該球面状格子に沿って画像を貼り付ける処理が施される。この処理を施した画像は、図１２に示すように、画像の周辺部が沈み、中央部が浮き出たように見える効果がある。
【０１２８】
フィルタ２０８は、ＧＩＦ画像であり、透過色（白色で表現された部分）と白色（黒色で表現された部分）を用いることで、被写体の外側をぼかす効果を表現することができる。
【０１２９】
上述した３Ｄ処理２０６とフィルタ２０８とを組み合わせると、接写撮影したように画像の中央部が強調され周辺部がぼやけた疑似接写画像を得ることができる。
【０１３０】
上述した「疑似接写処理」は本閲覧アプリケーションの一機能であり、本閲覧アプリケーションでは３Ｄ処理２０６やフィルタ２０８以外の画像処理やフィルタを併用して、様々な疑似的画像を生成できる。
【０１３１】
携帯電話などのモバイル機器は機種ごとにディスプレイの表示能力が異なるので、ディスプレイの能力に合わせて画像処理およびフィルタを調整したり、画像処理およびフィルタを複数備えたりすることが好ましい。また、使用機器（機種）を設定し、使用機器に合わせて画像を生成するように構成するとよい。
【０１３２】
本実施形態では、撮像機能を有する機器について開示したが、もちろん撮像機能を持たない機器が、他の撮像手段を介して生成された画像データに画像処理を加える場合にも適用可能である。
【０１３３】
上記の如く構成された画像処理システムでは、携帯電話機１０から画像処理１４に画像処理を依頼する前に、携帯電話機１０に搭載された閲覧アプリケーションを用いて画像処理結果画像を擬似的に生成することができ、ユーザはこの擬似的な結果画像を見て画像処理の内容を判断でき、安心して画像処理サーバに画像処理を依頼することができる。特に、有料サービスでは、課金される前に結果を確認できるので、無駄な料金がかからずに大変便利である。
【０１３４】
【発明の効果】
本発明によれば、端末機器に備えられた撮像手段によって撮像され生成された画像データを画像処理処理サーバに送出し、画像処理サーバにてユーザが所望する画像処理が行われ、画像処理の結果画像を該端末機器に提供する画像処理システムにおいて、該端末機器では、画像処理サーバで行われる画像処理の内容を設定し、該画像処理の内容を端末内信号処理手段によって擬似的に表現された画像を生成することができ、画像処理を画像処理サーバに依頼する前に、ユーザは端末機器で擬似的に表現された結果画像を確認できる。ユーザは画像処理サーバに画像処理を依頼する前に意図する画像を得られるか否かを確認することができる。
【０１３５】
端末機器で施されるフィルタ処理は、画像処理サーバで行われる画像処理に比べ処理系の負担が少ない処理である。該フィルタ処理は処理能力に制限がある端末機器でも実行可能な処理系の負担が少ない処理である。
【図面の簡単な説明】
【図１】本発明の実施形態に係る画像処理システムのブロック図
【図２】本発明の実施形態に係るカメラ付き携帯電話機のブロック図
【図３】本発明の実施形態に係る画像処理サーバのブロック図
【図４】画像処理システムの制御の流れを示すフローチャート
【図５】画像処理サービスの制御の流れを示すフローチャート
【図６】画像出力（プリント選択時）の制御の流れを示すフローチャート
【図７】画像出力（画像形式で保存選択時）の制御の流れを示すフローチャート
【図８】画像出力（メール配信選択時）の制御の流れを示すフローチャート
【図９】画像処理サービスの画像処理選択画面
【図１０】画像処理サービスの出力処理選択画面
【図１１】画像表示選択画面と結果画像表示画面を示した図
【図１２】閲覧アプリケーションによる画像生成手順を示した図
【符号の説明】
１０…カメラ付き携帯電話機、１２…ネットワーク、１４…画像処理サーバ、１６…セルフ式プリント装置、１８…画像処理部、２０…データ記録部、２４…ディスプレイ、３１…ＣＰＵ、３２，６６…メモリ、３６…送受信回路、４２…ＣＣＤ、４６…信号処理部、６０…制御部、６８…プリント制御部
【図１】
2004326423.tif 000003
【図２】
2004326423.tif 000004
【図３】
2004326423.tif 000005
【図４】
2004326423.tif 000006
【図５】
2004326423.tif 000007
【図６】
2004326423.tif 000008
【図７】
2004326423.tif 000009
【図８】
2004326423.tif 000010
【図９】
2004326423.tif 000011
【図１０】
2004326423.tif 000012
【図１１】
2004326423.tif 000013
【図１２】
2004326423.tif 000014